(57)【要約】【課題】  折畳み型携帯電話機では、組立時にＦＰＣケーブルを通すためだけに用いられるスリットを通して開状態では外部から塵埃が下側筐体部の内部に侵入するため、従来は防塵対策のための部品が必要であり、コスト的にも製造工程上でも不具合である【解決手段】  下側筐体部１００のフロントフレーム１０６の端部に形成された貫通孔である２つの穴部１１２ａ及び１１２ｂと、ＦＰＣケーブルを組立布線するためのスリット３の上方から、穴部１１２ａ及び１１２ｂとスリット３を含む位置に突き当てラバー１１０を押圧する。突き当てラバー１１０の底面に両面テープの一面が接着されているため、上記の押圧により突き当てラバー１１０が、その底面の両面テープを介して穴部１１２ａ及び１１２ｂとスリット３を覆うように接着される。上側筐体部を開いた状態で上側筐体部と突き当たり接触する部分の範囲の位置に、突き当てラバー１１０が固定される。【選択図】            図３
2007060323.tif 000002
【特許請求の範囲】
【請求項１】
内側面に少なくとも表示部とレシーバとが設けられた上側筐体部と、内側面に少なくとも各種の操作ボタンからなる操作部とマイクとが設けられた下側筐体部とが、互いに各一側端部同士がヒンジ部により回動自在に結合されており、前記上側筐体部と前記下側筐体部の各内側面同士を離間させる開状態時に、前記上側筐体部と前記下側筐体部の各一側端部を突き当てラバーを介して突き当てることで衝撃を緩和する構造の携帯端末機器において、
前記突き当てラバーが、前記上側筐体部の内部に設けられた第１の回路基板と前記下側筐体部の内部に設けられた第２の回路基板とを電気的に接続するための可撓性配線ケーブルを引き回すために、前記上側筐体部又は前記下側筐体部に設けられたスリットを覆い、かつ、前記衝撃緩和に必要な大きさに選定されて設けられていることを特徴とする携帯端末機器。
【請求項２】
前記突き当てラバーは、前記下側筐体部の前記ヒンジ部側付近の表面に設けられていることを特徴とする請求項１記載の携帯端末機器。
【請求項３】
前記突き当てラバーは、収縮可能なシリコン系の材質で構成されていることを特徴とする請求項１記載の携帯端末機器。
【請求項４】
前記突き当てラバーは、弾性材で構成されていることを特徴とする請求項１記載の携帯端末機器。
【請求項５】
内側面に少なくとも表示部とレシーバとが設けられた上側筐体部と、内側面に少なくとも各種の操作ボタンからなる操作部とマイクとが設けられた下側筐体部とが、互いに各一側端部同士がヒンジ部により回動自在に結合されており、前記上側筐体部と前記下側筐体部の各内側面同士を離間させる開状態時に、前記上側筐体部と前記下側筐体部の各一側端部を突き当てラバーを介して突き当てることで衝撃を緩和する構造の携帯端末機器において、
前記下側筐体部は、
前記操作部及びマイクの信号処理のための回路基板が搭載された基板搭載フレームを、フロントフレームとリアフレームとにより上下から挟んで、前記フロントフレームと前記リアフレームとの間に収納する構造であり、
前記フロントフレームは、前記開状態時に前記上側筐体部と接触する位置付近に、前記リアフレームの爪部との結合のために貫通された嵌合用穴部と、前記基板搭載フレーム上の前記回路基板と前記上側筐体部の内部に設けられた回路基板とを電気的に接続するための可撓性配線ケーブルを引き回すために穿設されたスリットとを有しており、
前記突き当てラバーは、前記嵌合用穴部と前記スリットとを覆い、かつ、前記開状態時に前記上側筐体部と接触する領域の大きさに選定されて前記フロントフレームに固定されることを特徴とする携帯端末機器。
【請求項６】
前記突き当てラバーは、両面テープにより前記フロントフレームに接着されていることを特徴とする請求項５記載の携帯端末機器。
【請求項７】
前記下側筐体部は、前記突き当てラバーの前記フロントフレームへの固定後に、前記リアフレームの爪部を前記嵌合用穴部に嵌合させて作成された構造であることを特徴とする請求項５又は６記載の携帯端末機器。
【請求項８】
前記突き当てラバーは、収縮可能なシリコン系の材質で構成されていることを特徴とする請求項５又は６記載の携帯端末機器。
【請求項９】
前記突き当てラバーは、弾性材で構成されていることを特徴とする請求項５又は６記載の携帯端末機器。
【発明の詳細な説明】
【技術分野】
【０００１】
本発明は携帯端末機器に係り、特に内側面に少なくとも表示部とレシーバとが設けられた上側筐体部と、内側面に少なくとも各種の操作ボタンからなる操作部とマイクとが設けられた下側筐体部とが、互いに各一側端部同士がヒンジ部により回動自在に結合された折畳み型携帯電話機の開状態時に、上側筐体部と下側筐体部の各一側端部を突き当てラバーを介して突き当てることで衝撃を緩和する構造の携帯端末機器に関する。
【背景技術】
【０００２】
内側面に少なくとも表示部とレシーバとが設けられた上側筐体部と、内側面に少なくとも各種の操作ボタンからなる操作部とマイクとが設けられた下側筐体部とが、互いに各一側端部同士がヒンジ部により回動自在に結合された折畳み型携帯電話機では、不使用時には、上側筐体部と下側筐体部の両内側面同士をヒンジ部を中心にして互いにほぼ密接するように折り畳む閉状態とし、使用時には、上側筐体部と下側筐体部の両内側面同士をヒンジ部を中心にして所定角度開く開状態とする。
【０００３】
ここで、上記の開状態時には、上側筐体部と下側筐体部の各一側端部を突き当て部を介して突き当てることで、それ以上拡開できないようにし、開状態を停止させる。上記の突き当て部を有する携帯端末機器としては、開状態とすると、上側筐体部に対向し、長手方向に伸張する下側筐体部端面の両側に位置する複数の下側突き当てリブと、下側筐体部に対向し、長手方向に伸張する上側筐体部端面の両側に位置する複数の上側突き当てリブとを有する折畳み型携帯電話機が知られている（例えば、特許文献１参照）。この従来の携帯端末機器では、下側突き当てリブと上側突き当てリブとが開状態時に突き当たる構造であり、それらのリブにより突き当て調整している。なお、上記の突き当てリブと同様の目的のために、突き当てラバーを用いたものもある。
【０００４】
図６（Ａ）は特許文献１記載の折畳み型携帯電話機の下側突き当てリブと上側突き当てリブとを突き当てラバーで構成した従来の携帯端末機器の上側筐体部１１だけを示し、かつ、そのケースを取り外した状態で背面側から見た斜視図を示す。なお、図６（Ａ）中の１２は背面ディスプレイである。また、ケースを取り付けた下側筐体部は、図６（Ｂ）に示され、上側筐体部と接続される、下側筐体部の上部付近を拡大すると同図（Ｃ）に示される。同図（Ｃ）において、下側筐体部１の上側筐体部とヒンジ部により回動自在に結合される側の上端部には、一定幅の弾力性のある突き当てラバー２が下側筐体部１の長手方向と直交する方向に設けられている。
【０００５】
また、下側筐体部１の上記上端部には、突き当てラバー２に近接してスリット３が下側筐体部１に穿設されており、更に、上記のスリット３に近接して一端部がダミーヒンジ５に取り付けられた可撓性のあるＦＰＣ（Flexible Printed Circuit:フレキシブルプリント回路）ケーブル４が設けられている。スリット３は、組立時にＦＰＣケーブル４を通すためのものである。また、ＦＰＣケーブル４は下側筐体部１の内部の回路基板と、上側筐体部の内部の回路基板とを電気的に接続するためのコネクタ６がその他端部に設けられている。ダミーヒンジ５は片側ヒンジユニットの反対側で筐体部を支える軸となるもので、その内側にはＦＰＣケーブル４が配線されている。
【０００６】
【特許文献１】特開２００２−３４４６０１号公報
【発明の開示】
【発明が解決しようとする課題】
【０００７】
しかしながら、上記のような構造の折畳み型携帯電話機では、上側筐体部を開いた状態で下側筐体部と突き当たり接触する部分の範囲のみに、図６（Ｃ）に示すように突き当てラバー２が設けられているだけであるため、組立時にＦＰＣケーブル４を通すためだけに用いられるスリット３を通して開状態では外部から塵埃が下側筐体部１の内部に侵入する。このため、従来は防塵対策のために、スリット３を埋める部品が追加されるか、図７に８で示すように、下側筐体部内にスリット３を通して侵入する塵埃を防止する防塵対策を施した部品を配置する必要があり、コスト的にも製造工程上でも不具合である。
【０００８】
本発明は上記の点に鑑みなされたもので、極めて簡単な構造により上側筐体部又は下側筐体部のスリットを通して侵入する塵埃に対する防塵対策を施した携帯端末機器を提供することを目的とする。
【課題を解決するための手段】
【０００９】
上記の目的を達成するため、本発明は、内側面に少なくとも表示部とレシーバとが設けられた上側筐体部と、内側面に少なくとも各種の操作ボタンからなる操作部とマイクとが設けられた下側筐体部とが、互いに各一側端部同士がヒンジ部により回動自在に結合されており、上側筐体部と下側筐体部の各内側面同士を離間させる開状態時に、上側筐体部と下側筐体部の各一側端部を突き当てラバーを介して突き当てることで衝撃を緩和する構造の携帯端末機器において、突き当てラバーが、上側筐体部の内部に設けられた第１の回路基板と下側筐体部の内部に設けられた第２の回路基板とを電気的に接続するための可撓性配線ケーブルを引き回すために、上側筐体部又は下側筐体部に設けられたスリットを覆い、かつ、衝撃緩和に必要な大きさに選定されて設けられていることを特徴とする。
【００１０】
この発明では、開状態時に上側筐体部と下側筐体部の各一側端部が突き当たることによる衝撃を緩和するための緩衝材である突き当てラバーが、可撓性配線ケーブルを引き回すためスリットを覆うように設けられているため、スリットを介して筐体内に侵入する塵埃を防止できる。
【００１１】
ここで、上記の突き当てラバーは、下側筐体部のヒンジ部側付近の表面に設けられていてもよい。また、上記の突き当てラバーは、上側筐体部又は下側筐体部の所定位置に両面テープで接着されていることを特徴とする。
【００１２】
また、上記の目的を達成するため、本発明は、内側面に少なくとも表示部とレシーバとが設けられた上側筐体部と、内側面に少なくとも各種の操作ボタンからなる操作部とマイクとが設けられた下側筐体部とが、互いに各一側端部同士がヒンジ部により回動自在に結合されており、上側筐体部と下側筐体部の各内側面同士を離間させる開状態時に、上側筐体部と下側筐体部の各一側端部を突き当てラバーを介して突き当てることで衝撃を緩和する構造の携帯端末機器において、
下側筐体部は、操作部及びマイクの信号処理のための回路基板が搭載された基板搭載フレームを、フロントフレームとリアフレームとにより上下から挟んで、フロントフレームとリアフレームとの間に収納する構造であり、フロントフレームは、開状態時に上側筐体部と接触する位置付近に、リアフレームの爪部との結合のために貫通された嵌合用穴部と、基板搭載フレーム上の回路基板と上側筐体部の内部に設けられた回路基板とを電気的に接続するための可撓性配線ケーブルを引き回すために穿設されたスリットとを有しており、突き当てラバーは、嵌合用穴部とスリットとを覆い、かつ、開状態時に上側筐体部と接触する領域の大きさに選定されてフロントフレームに固定されることを特徴とする。
【００１３】
この発明では、開状態時に上側筐体部と下側筐体部の各一側端部が突き当たることによる衝撃を緩和するための緩衝材である突き当てラバーが、嵌合用穴部とスリットとを覆うと共に、開状態時に上側筐体部と接触する領域の大きさに選定されてフロントフレームに固定されるため、嵌合用穴部とスリットからの塵埃侵入を防止することができる。
【００１４】
ここで、上記の突き当てラバーは、両面テープによりフロントフレームに接着されていてもよい。また、上記の下側筐体部は、突き当てラバーのフロントフレームへの固定後に、リアフレームの爪部を嵌合用穴部に嵌合させて作成された構造であることを特徴とする。また、上記の突き当てラバーは、収縮可能なシリコン系の材質により構成されていてもよいし、弾性材で構成されていてもよい。
【発明の効果】
【００１５】
本発明によれば、開状態時に上側筐体部と下側筐体部の各一側端部が突き当たることによる衝撃を緩和するための緩衝材である突き当てラバーが、上側筐体部と下側筐体部の各内部の回路基板を接続するための配線ケーブルを引き回すために、上側筐体部又は下側筐体部に穿設されたスリットからの粉塵などの異物の侵入を防止できるため、スリットに対する防塵探索専用の部材を用意しなくても、スリットに対する防塵対策ができ、しかも突き当てラバーを所定位置に固定する工程だけで、スリットに対する防塵対策も同時にできるため、携帯端末機器の製作工程数が減少し、作業効率を向上できる。また、本発明によれば、従来、スリットを塞ぐために用いられていた部品を削除できるので、組立て性も向上できる。
【発明を実施するための最良の形態】
【００１６】
次に、本発明の実施の形態について図面と共に説明する。図１は本発明になる携帯端末機器の一実施の形態の下側筐体部の分解斜視図、図２は本発明になる携帯端末機器の一実施の形態の上側筐体部の分解斜視図を示す。本実施の形態は、図１の構成の下側筐体部と図２の構成の上側筐体部とが、それぞれヒンジユニットで回動自在に結合された折畳み型携帯電話機である。
【００１７】
図１において、下側筐体部１００は、バッテリカバー１０１、リアフレーム１０３、フレーム１０４、フロントフレーム１０６が積層され、バッテリカバー１０１とリアフレーム１０３との間にバッテリー１０２が着脱自在に収納され、また、フレーム１０４上には各種のキーの記号が印刷されたキーシート１０５が貼付された構造である。また、リアフレーム１０３上にはアンテナ１１１が設けられ、フレーム１０４にはマイク１１３が設けられ、また、操作部の操作やマイク１１３のための信号処理などを行うための回路基板が搭載される。フロントフレーム１０６の端部には、ヒンジユニット１０８の一端が嵌合する穴部１０６ａが設けられ、また回転軸となり内部に可撓性配線部材であるＦＰＣケーブルを配置したリングヒンジ１０７（ダミーヒンジ４に相当）の一端が嵌合する穴部が設けられている。
【００１８】
更に、フロントフレーム１０６の上端部には、前記スリット３や平面形状が直方形の２つの貫通孔である穴部１１２ａ、１１２ｂ（図１では１１２ｂは図示せず）が設けられている。これらの穴部１１２ａ、１１２ｂは、フレーム１０４、キーシート１０５、アンテナ１１などを間に介在させた状態で、リアフレーム１０３の長手方向の一端部に設けられた２つの爪部１０３ａ及び１０３ｂが入り込むようにされて結合される。
【００１９】
本実施の形態は、フロントフレーム１０６の、上側筐体部を開いた状態で上側筐体部と突き当たり接触する部分の範囲だけでなく、スリット３と穴部１１２ａ、１１２ｂとを覆う範囲に、ゴム系の緩衝材からなる突き当てラバー１１０を固定する点に特徴がある（従来は、穴部１１２ａ、１１２ｂだけを塞いでいた。）。ここで、突き当てラバー１１０は、例えば、幅１０ｍｍ、長さ２０ｍｍ、厚さ２〜３ｍｍ程度の薄板状のラバーであり、例えば裏面に両面テープの一面を貼り付けておき、他面をフロントフレーム１０６に押し当て接触することで固定する。なお、フロントフレーム１０６の突き当てラバー１１０に覆われない位置に、この携帯電話機の型番を示すプレート（名札）１０９が配置される。
【００２０】
また、上側筐体部２００は、図２に示すように、リアフレーム２０１、カメラ２０２、ＬＣＤからなるディスプレイ２０３、スピーカ（レシーバ）２０４、バイブレータ２０５、フロントフレーム２０６、スクリーン２０７、２１０などから大略構成されている。フロントフレーム２０６の長手方向の一端部にはヒンジユニットが貫通する孔２０６ａが穿設されており、また、その孔２０６ａにはリングヒンジ２０９の一部が嵌入する構造とされており、下側筐体部１００のフロントフレーム１０６のヒンジ部と回動自在に結合される。
【００２１】
ディスプレイ２０３は図２に示す表面側に大面積のディスプレイ面を有し、裏面側にも小面積のディスプレイ面を有する。また、上側筐体部２００にはスクリーン２１０、レンズ２１２がアルミニウムプレート２１１でリアフレーム２０１に固定される。なお、図２に示す上側筐体部２００の構造自体は従来と同じである。
【００２２】
次に、本実施の形態の突き当てラバー１１０の取り付け方法について図３と共に説明する。同図中、図１と同一構成部分には同一符号を付してある。まず、図３（Ａ）に示すように、下側筐体部１００のフロントフレーム１０６の端部に形成された貫通孔である２つの穴部１１２ａ及び１１２ｂと、ＦＰＣケーブルを組立布線するためのスリット３の上方から、穴部１１２ａ及び１１２ｂとスリット３を含む位置に突き当てラバー１１０を押圧する。
【００２３】
ここで、突き当てラバー１１０の底面に両面テープの一面が接着されているため、上記の押圧により突き当てラバー１１０が、その底面の両面テープを介して穴部１１２ａ及び１１２ｂとスリット３を覆うように接着される。なお、通常はこのとき図６（Ｃ）に示したように、ダミーヒンジ１０７（４）から上側筐体部内の回路基板と接続するためのＦＰＣケーブルの一部が出ているが、その図示は省略する。
【００２４】
これにより、下側筐体部１００のフロントフレーム１０５は、図３（Ｂ）の斜視図に示すように、上記の穴部１１２ａ及び１１２ｂと、スリット３とを覆い、かつ、上側筐体部を開いた状態で上側筐体部と突き当たり接触する部分の範囲の位置に、突き当てラバー１１０が固定される。その後、上記の穴部１１２ａと１１２ｂの突き当てラバー１１０が存在しない下側から、リアフレーム１０３の爪部１０３ａ、１０３ｂが嵌合するようにされ、下側筐体部１００が作成される。上側筐体部２００は、下側筐体部１００の作成後にヒンジ２０８、２０９などにより下側筐体部１００と回動自在に結合される。
【００２５】
これにより、本実施の形態によれば、上側筐体部２００と下側筐体部１００とを開くと、図４、図５に示すように、下側筐体部１００に固定された突き当てラバー１１０がストッパーになり、上側筐体部２００の開閉角度を所定角度に制限する。また、突き当てラバー１１０は、上側筐体部２００を完全に開いた時に、上側筐体部２００と下側筐体部１００同士の損傷を防ぎ、衝突音を緩和することができる。なお、突き当てラバー１１０が上側筐体部２００の回転軸部下側に配置されるために、突き当てラバー１１０の形状を本実施の形態のように、拡大しても外観からは目視できない構造となる。
【００２６】
また、本実施の形態では、スリット３に対する防塵対策専用の部材を用意しなくても、突き当てラバー１１０によりスリット３等が覆われるため、スリット３に対する防塵対策ができ、しかも突き当てラバー１１０を所定位置に固定する工程だけで、スリット３に対する防塵対策も同時にできるため、携帯電話機の製作工程数が減少し、作業効率を向上できる。また、従来スリット３を塞ぐために用いられていた部品を削除できるので、組立て性も向上できる。
【００２７】
なお、本発明は上記の実施の形態に限定されるものではなく、例えば、突き当てラバーの材質を上記の実施の形態ではゴム系の緩衝材として説明したが、シリコン系にしてもよい。この場合は、シリコン系の突き当てラバーが収縮するので、突き当てラバーの形状を工夫することにより、突き当てラバーの一部をスリット３内部に埋め込むことができると共に、開閉時の衝撃を緩和することができる。従って、この場合は、突き当てラバーの材質をシリコン系にすることで、下側筐体部とスリット３の嵌合力を強めるという効果が得られる。
【００２８】
また、本発明は折畳み型携帯電話機に限定されるものではなく、折畳み型の携帯型情報機器などにも適用可能である。
【図面の簡単な説明】
【００２９】
【図１】本発明の一実施の形態の下側筐体部の分解斜視図である。
【図２】本発明の一実施の形態の上側筐体部の分解斜視図である。
【図３】本発明の要部の突き当てラバーの固定動作説明用斜視図である。
【図４】折畳み型携帯電話機を開状態にしたときの一例の斜視図である。
【図５】折畳み型携帯電話機を開状態にしたときの一例の拡大斜視図である。
【図６】従来の折畳み型携帯電話機の下側筐体部の構造説明図である。
【図７】従来の折畳み型携帯電話機の筐体部内の防塵用部品の一例を示す図である。
【符号の説明】
【００３０】
１、１００  下側筐体部
２、１１０  突き当てラバー
３  スリット
１０３  リアフレーム
１０３ａ、１０３ｂ  爪部
１０６  フロントフレーム
１１２ａ、１１２ｂ  穴部
２００  上側筐体部
２０３  ディスプレイ
２０４  スピーカ（レシーバ）
【図１】
2007060323.tif 000003
【図２】
2007060323.tif 000004
【図４】
2007060323.tif 000005
【図３】
2007060323.tif 000006
【図５】
2007060323.tif 000007
【図６】
2007060323.tif 000008
【図７】
2007060323.tif 000009